(57)【要約】【課題】  RFID自動ダイヤル可能の通信装置及びそれのRFIDモジュールを提供する。【解決手段】RFID自動ダイヤル可能の通信装置において、RFIDモジュール１０は電話番号データをRFIDタグTに入力することができるデータ書き込みユニット１１、RFIDタグT内の電話番号データを読み取ることができるRFID読み取り装置１２及びデータ書き込みユニット１１とRFID読み取り装置１２とそれぞれ電気接続するマイクロプロセッサー１３を含む。マイクロプロセッサー１３は、RFID読み取り装置１２が読み取った電話番号データを受信し及び電話番号データを有するダイヤル指示信号を出力することができる。テレホンモジュール２０は、RFIDモジュール１０と電気接続し、マイクロプロセッサー１３が出力したダイヤル指示信号を受信してそのダイヤル指示信号に従い自動ダイヤルすることができる。【選択図】  図１
0003151041.tif 000002
【実用新案登録請求の範囲】
【請求項１】
RFIDタグの読み取りとして用いられることであって、RFIDモジュールとテレホンモジュールを含み、前記RFIDモジュールは、電話番号データをRFIDタグに入力することができるデータ書き込みユニット、RFIDタグ内の電話番号データを読み取ることができるRFID読み取り装置及びデータ書き込みユニットとRFID読み取り装置とそれぞれ電気接続するマイクロプロセッサーを含み、前記マイクロプロセッサーは、RFID読み取り装置が読み取った電話番号データを受信し及び電話番号データを有するダイヤル指示信号を出力することができ、前記テレホンモジュールは、RFIDモジュールと電気接続し、マイクロプロセッサーが出力したダイヤル指示信号を受信してそのダイヤル指示信号に従い自動ダイヤルすることができることを特徴とするRFID自動ダイヤル可能の通信装置。
【請求項２】
前記RFIDモジュールにおいて、さらにD/A変換器を含み、このD/A変換器は前記データ書き込みユニットと前記マイクロプロセッサーとそれぞれ電気接続することを特徴とする請求項１記載のRFID自動ダイヤル可能の通信装置。
【請求項３】
前記テレホンモジュールにおいて、前記RFIDモジュールのD/A変換器と電気接続することを特徴とする請求項２記載のRFID自動ダイヤル可能の通信装置。
【請求項４】
前記RFIDモジュールにおいて、誘導アンテナを有し、この誘導アンテナは前記RFIDタグとの送受信両用にできることを特徴とする請求項１記載のRFID自動ダイヤル可能の通信装置。
【請求項５】
さらにアダプタを含み、このアダプタは前記テレホンモジュールと前記RFIDモジュールとそれぞれ接続することを特徴とする請求項１記載のRFID自動ダイヤル可能の通信装置。
【請求項６】
RFIDタグの読み取りとして用いられ、データ書き込みユニット、RFID読み取り装置及びマイクロプロセッサーを含み、前記データ書き込みユニットは電話番号データを前記RFIDタグに入力することができ、前記RFID読み取り装置は前記RFIDタグ内の電話番号データを読み取ることができ、前記マイクロプロセッサーは前記データ書き込みユニットと前記RFID読み取り装置とそれぞれ電気接続し、前記RFID読み取り装置が読み取った電話番号データを受信し及び電話番号データを有するダイヤル指示信号を出力することができることを特徴とするRFIDモジュール。
【請求項７】
さらにD/A変換器を含み、このD/A変換器は前記データ書き込みユニットと前記マイクロプロセッサーとそれぞれ電気接続することを特徴とする請求項6記載のRFIDモジュール。
【請求項８】
さらに前記マイクロプロセッサーと電気接続するディスプレイ装置を含み、このディスプレイ装置は電話番号データの表示として用いられることを特徴とする請求項６記載のRFIDモジュール。
【考案の詳細な説明】
【技術分野】
【０００１】
本考案は、一種の通信装置に関し、特にRFID(Radio Frequency Identification)自動ダイヤル可能の通信装置及びそれのRFIDモジュールに関するものである。
【背景技術】
【０００２】
現在の通信装置(例えば室内電話または携帯電話)を利用する際、手動で電話番号を入力するのは殆どであるが、このような電話の掛け方は、速度が遅いだけではなく、高齢者(視力不良または老眼)にとってとても不便である。また、現在の通信装置は大量の電話番号を格納することができるとしても、誰かに電話を掛ける際、電話番号を１つずつ検索して見出さなければいけないので、ユーザにとってかなり時間がかかり、経済利益がない。
【考案の概要】
【考案が解決しようとする課題】
【０００３】
本考案は、上記問題点を解消する為に成されたものであり、RFID自動ダイヤル可能の通信装置及びそれのRFIDモジュールを提供する事を目的とするものである。
【課題を解決するための手段】
【０００４】
本考案の主な目的は、一種のRFID自動ダイヤル可能の通信装置及びそれのRFIDモジュールを提供し、それはRFIDタグ(Radio Frequency
Identification Tag)を読み取る目的で用いられる。この通信装置はRFIDモジュールとテレホンモジュールを含む。RFIDモジュールは、電話番号データをRFIDタグに入力することができるデータ書き込みユニット、RFIDタグ内の電話番号データを読み取ることができるRFID読み取り装置及びデータ書き込みユニットとRFID読み取り装置とそれぞれ電気接続するマイクロプロセッサーを含む。マイクロプロセッサーは、RFID読み取り装置が読み取った電話番号データを受信し及び電話番号データを有するダイヤル指示信号を出力することができる。テレホンモジュールは、RFIDモジュールと電気接続し、マイクロプロセッサーが出力したダイヤル指示信号を受信してそのダイヤル指示信号に従い自動ダイヤルすることができる。
【考案の効果】
【０００５】
本考案にかかる通信装置によれば、RFIDタグ内の電話番号データを読み取って自動ダイヤルすることができるため、手動で電話番号を見出すことに費やす時間を節約すること及びダイヤル速度を速くすることが可能となる。
【図面の簡単な説明】
【０００６】
【図１】本考案の第一実施例により、一種のRFID自動ダイヤル可能の通信装置の構成を示す図である。
【図２】本考案の第二実施例により、一種のRFID自動ダイヤル可能の通信装置の構成を示す図である。
【図３】本考案の第三実施例により、一種のRFID自動ダイヤル可能の通信装置の構成を示す図である。
【図４】本考案の第四実施例により、一種のRFID自動ダイヤル可能の通信装置の構成を示す図である。
【考案を実施するための形態】
【０００７】
図１と２に示すよう、本考案の第一実施例による一種のRFID自動ダイヤル可能の通信装置は、RFIDタグTの読み取りとして用いられ、RFIDモジュール１０とテレホンモジュール２０を含む。
【０００８】
RFIDモジュール１０は、電話番号データをRFIDタグTに入力することができるデータ書き込みユニット１１、RFIDタグT内の電話番号データを読み取ることができるRFID読み取り装置１２、データ書き込みユニット１１とRFID読み取り装置１２とそれぞれ電気接続するマイクロプロセッサー１３、マイクロプロセッサー１３と電気接続するメモリ１４及びデータ書き込みユニット１１とマイクロプロセッサー１３とそれぞれ電気接続するD/A（Digital/Analog）変換器１５を含む。
【０００９】
RFID読み取り装置１２はRFIDタグTとの送受信両用の誘導アンテナ１２aを有する。
【００１０】
マイクロプロセッサー１３はRFID読み取り装置１２が読み取った電話番号データを受信し及び電話番号データを有するダイヤル指示信号を出力することができる。
【００１１】
電話番号データはメモリ１４に格納され、D/A変換器１５はデジタル信号のダイヤル指示信号をテレホンモジュール２０が読み取れるアナログ信号に変換する。
【００１２】
また、本実施例において、RFIDモジュール１０はさらにマイクロプロセッサー１３と電気接続するディスプレイ装置１７を含み、ディスプレイ装置１７は電話番号データの表示として用いられる。
【００１３】
再び図１を参照して、テレホンモジュール２０は、RFIDモジュール１０のD/A変換器１５と電気接続し、マイクロプロセッサー１３が出力したダイヤル指示信号を受信してそのダイヤル指示信号に従い自動ダイヤルすることができる。
【００１４】
本実施例において、RFIDモジュール１０はテレホンモジュール２０に挿入され、さらにアダプタ３０を有することが望ましい。アダプタ３０はテレホンモジュール２０とRFIDモジュール１０とそれぞれ接続する。本考案が提供する通信装置によれば、RFIDタグT内の電話番号データを自動的に読み取って自動ダイヤルすることができるため、手動で電話番号を見出すことに費やす時間を節約すること及びダイヤル速度を速くすることが可能となる。
【００１５】
図２に示すよう、本考案の第二実施例による一種のRFID自動ダイヤル可能の通信装置は、基本的に第一実施例と構成が同様であり、本実施例のテレホンモジュール２０も第一実施例と同様に固定式テレホンモジュールを使用する。
【００１６】
唯一の差異として、本実施例のテレホンモジュール２０はRFIDモジュール１０と外接することである。
【００１７】
本実施例において、さらに電話回線４０を含み、この電話回線４０はテレホンモジュール２０とRFIDモジュール１０を接続している。
【００１８】
図３に示すよう、本考案の第三実施例による一種のRFID自動ダイヤル可能の通信装置は、基本的に第二実施例と構成が同様であり、唯一の差異として、本実施例のテレホンモジュール２０はモバイル(Mobile)テレホンモジュールを使用する。
【００１９】
なお、RFIDモジュール１０は挿入式インターフェイスカード１６を有することが望ましい、この挿入式インターフェイスカード１６はテレホンモジュール２０に挿入されることができる。
【００２０】
図４に示すよう、本考案の第四実施例による一種のRFID自動ダイヤル可能の通信装置は、基本的に第一実施例と構成が同様であり、唯一の差異として、本実施例のテレホンモジュール２０はモバイルテレホンモジュールを使用する。
【００２１】
以上、本考案をその好適な実施例に基づいて説明したが、本考案の保護範囲は実用新案登録請求の範囲に限定されるものであり、この保護範囲を基準として、本考案の精神と範囲内に触れるどんな変更や修正も本考案の保護範囲に属する。
【符号の説明】
【００２２】
１０  RFIDモジュール
１１  データ書き込みユニット
１２  RFID読み取り装置
１２ａ  誘導アンテナ
１３  マイクロプロセッサー
１４  メモリ
１５  D/A変換器
１６  挿入式インターフェイスカード
１７  ディスプレイ装置
２０  テレホンモジュール
３０  アダプタ
４０  電話回線
Ｔ  RFIDタグ
【図１】
0003151041.tif 000003
【図２】
0003151041.tif 000004
【図３】
0003151041.tif 000005
【図４】
0003151041.tif 000006